(57)【要約】【課題】リフィルとして電磁誘導タッチペンと筆記リフィルとが軸筒内で共存する多機能ペンにおいて、電磁誘導タッチペン使用する際、待機位置にある筆記リフィルの金属部分が電磁誘導の妨げとならないようにする。【解決手段】電磁誘導タッチペン４０を含む複数のリフィルを軸筒１０の内部に備え、複数のリフィルの各々の後端に接続されるノック棒３０、３５の前方へのノック動作によって、複数のリフィルのうちの１つの先端が、軸筒１０の内部に留まっている待機位置から、軸筒１０の先端開口１２Ａから突出する使用位置へと遷移する多機能ペン１であって、複数のリフィルのうち、電磁誘導タッチペン４０の他の筆記リフィル５０、５５のうち少なくとも１つは金属製の筆記先端を備え、使用位置にある電磁誘導タッチペン４０の先端と、待機位置にある筆記リフィル５０、５５の先端とは、電磁誘導タッチペン４０による電磁誘導に影響のない距離を隔てている。【選択図】図５
2019101488.tif 000002
【特許請求の範囲】
【請求項１】
リフィルとしての電磁誘導タッチペンを含む複数のリフィルを軸筒の内部に備えるとともに、
前記複数のリフィルの各々の後端に接続されるノック棒の前方へのノック動作によって、該複数のリフィルのうちの１つの先端が、前記軸筒の内部に留まっている待機位置から、該軸筒の先端開口から突出する使用位置へと遷移する多機能ペンであって、
前記複数のリフィルのうち、前記電磁誘導タッチペンの他の筆記リフィルのうち少なくとも１つは金属製の筆記先端を備え、
前記使用位置にある前記電磁誘導タッチペンの先端と、前記待機位置にある前記筆記リフィルの先端とは、該電磁誘導タッチペンによる電磁誘導に影響のない距離を隔てていることを特徴とする多機能ペン。
【請求項２】
前記軸筒は、前記ノック棒が前記ノック動作に伴い軸方向に沿って摺動するガイドレールを備えるとともに、
前記ノック棒は、
前記ガイドレールの上を摺動する摺動面と、
前記摺動面に対し外側方へ突出するとともに該摺動面の後端より後方へも延伸するノック突起と、
前記摺動面の後端と前記ノック突起との間の段部であって、対応するリフィルの前記使用位置において前記ガイドレールの前端に係止する後端係止部と、
前記摺動面の後端付近から軸心方向へ突出するとともに、対応するリフィルの前記使用位置において該ガイドレールの前端より前方に位置する後端解除カムと、
前記摺動面から前記後端解除カムより前方において軸心方向に突出するとともに、対応するリフィルが前記待機位置から前記使用位置に遷移する際に、既に前記使用位置にある他のリフィルに対応する前記ノック棒の前記後端解除カムに当接する前端解除カムと、
を備え、
前記電磁誘導タッチペンの前記ノック棒が摺動する前記ガイドレールは、前記筆記リフィルの前記ノック棒が摺動する前記ガイドレールより短く、
前記電磁誘導タッチペンの前記待機位置においては対応する前記ノック棒の前記前端解除カムの前端位置は前記筆記リフィルに対応するガイドレールの前端位置とほぼ一致し、
前記筆記リフィルの前記待機位置においては対応する前記ノック棒の前記前端解除カムの前端位置は前記電磁誘導タッチペンに対応するガイドレールの前端位置とほぼ一致し、
前記待機位置にある前記電磁誘導タッチペンの先端は、同じく待機位置にある前記筆記リフィルの先端よりも前端寄りに位置していることを特徴とする請求項１記載の多機能ペン。
【請求項３】
前記ガイドレールは、前記軸筒の内部に収容される略筒状のガイド筒に設けられていると共に、軸方向に沿った長孔であるガイド孔の両内側において該軸筒の表面に対し軸心方向へ陥凹した段部として形成され、
前記ガイドレールの間には軸方向に沿ったガイド溝が設けられ、
前記ガイド溝には、前記後端解除カム及び前記前端解除カムが軸方向に移動自在に挿通されていることを特徴とする請求項２記載の多機能ペン。
【請求項４】
前記電磁誘導タッチペンが接続される前記ノック棒の前記ノック突起の形状は、前記筆記リフィルが接続される前記ノック棒の前記ノック突起の形状とは相違していることを特徴とする請求項２又は３記載の多機能ペン。
【請求項５】
前記筆記リフィルとして、熱変色芯を備えた熱変色芯リフィルを備えるとともに、
前記軸筒の後端に前記熱変色芯による描線を消去するための摩擦体が設けられていることを特徴とする請求項１、２、３又は４記載の多機能ペン。
【発明の詳細な説明】
【技術分野】
【０００１】
本発明は、多機能ペンに関する。
【背景技術】
【０００２】
近年、画面上への物理的な接触により入力を行う、デジタイザ等のポインティングデバイスが広く用いられている。すなわち、ペン型に形成された位置指示器で、位置検出装置が設けられた板状の入力装置の入力面に接触して接触位置を検出するものである。
【０００３】
このようなデジタイザには様々な方式があるが、その中に、電磁誘導方式がある。これは、位置指示器の中に、入力装置の入力面の下に設置されている位置検出装置が発生する特定の周波数の電磁波に対して共振する電磁誘導コイルが設けられていて、この共振が生じた位置を入力位置として認識するものである。
【０００４】
このような技術としては、下記特許文献１及び下記特許文献２に記載されたものがある。
【先行技術文献】
【特許文献】
【０００５】
【特許文献１】ＷＯ  ２０１６／１２１４７８  Ａ１
【特許文献２】ＷＯ  ２０１６／１２９６１４  Ａ１
【発明の概要】
【発明が解決しようとする課題】
【０００６】
上記特許文献１及び上記特許文献２には、軸筒の中にボールペンの芯とともに電磁誘導方式の電子ペン芯を収容した、いわゆる多機能ペンが開示されている。このような多機能ペンでは、軸筒の先端開口から、ノック操作により、電子ペン芯及びボールペンの芯の出没を切り替えている。
【０００７】
ここで、電磁誘導方式の電子ペン芯では、上記のように電磁誘導コイルが特定の周波数の電磁波に対して共振する際、金属部品（たとえば、筆記具のボールペンチップ）が存在するとこれが磁界に干渉し、電磁誘導に影響を与えることがある。
【０００８】
そこで本発明は、リフィルとして電磁誘導タッチペンと筆記リフィルとが軸筒内で共存する多機能ペンにおいて、電磁誘導タッチペン使用する際、待機位置にある筆記リフィルの金属部分が電磁誘導の影響を与えないようにすることを課題とする。
【課題を解決するための手段】
【０００９】
（１）第１の態様
上記の課題に鑑み、本発明の第１の態様は、リフィルとしての電磁誘導タッチペンを含む複数のリフィルを軸筒の内部に備えるとともに、
前記複数のリフィルの各々の後端に接続されるノック棒の前方へのノック動作によって、該複数のリフィルのうちの１つの先端が、前記軸筒の内部に留まっている待機位置から、該軸筒の先端開口から突出する使用位置へと遷移する多機能ペンであって、
前記複数のリフィルのうち、前記電磁誘導タッチペンの他の筆記リフィルのうち少なくとも１つは金属製の筆記先端を備え、
前記使用位置にある前記電磁誘導タッチペンの先端と、前記待機位置にある前記筆記リフィルの先端とは、該電磁誘導タッチペンによる電磁誘導に影響のない距離を隔てていることを特徴とする。
【００１０】
ここで、出願人が行った実験により、多機能ペンの電磁誘導タッチペンの使用時において、電磁誘導タッチペンと、筆記リフィルとしてのボールペンリフィルとの距離が少なくとも１５ｍｍ以上、好ましくは２０ｍｍ以上、隔たっていないと、電磁誘導が阻害されることが確認されている。これは、電磁誘導タッチペンが備えるフェライトコアに、ボールペンリフィルに用いられる金属材料が干渉することで、電磁誘導に影響を及ぼすものと考えられる。したがって、上記の電磁誘導タッチペンによる電磁誘導に影響のない距離は、少なくとも１５ｍｍ以上であることが望ましい。
【００１１】
なお、本態様における筆記リフィルとは、電磁誘導タッチペン以外に多機能ペンに収容されるリフィルをいい、紙面に描線を付着させる狭義の筆記手段（たとえば、ボールペン、シャープペンシル、鉛筆芯、熱変色芯マーキングペン等）に限られず、このような筆記手段による描線を消去する手段（たとえば、消しゴム、摩擦体等）や、電磁誘導方式以外のタッチパネルを用いた仮想的な筆記及び入力に用いられるタッチペン（たとえば、感圧式タッチペン、静電容量タッチペン）をも含めた広義の筆記手段も概念として含むものである。そして、これら広義の筆記手段をリフィル化したものが、筆記リフィルとして軸筒に収容される。
【００１２】
また、リフィルに関して「使用位置」とは、リフィルの使用により筆記又は入力が可能となっている位置をいい、現に筆記又は入力がなされているかどうかは問わない。
【００１３】
（２）第２の態様
本発明の第２の態様に係る多機能ペンは、前記第１の態様の特徴に加え、前記軸筒は、前記ノック棒が前記ノック動作に伴い軸方向に沿って摺動するガイドレールを備えるとともに、
前記ノック棒は、
前記ガイドレールの上を摺動する摺動面と、
前記摺動面に対し外側方へ突出するとともに該摺動面の後端より後方へも延伸するノック突起と、
前記摺動面の後端と前記ノック突起との間の段部であって、対応するリフィルの前記使用位置において前記ガイドレールの前端に係止する後端係止部と、
前記摺動面の後端付近から軸心方向へ突出するとともに、対応するリフィルの前記使用位置において該ガイドレールの前端より前方に位置する後端解除カムと、
前記摺動面から前記後端解除カムより前方において軸心方向に突出するとともに、対応するリフィルが前記待機位置から前記使用位置に遷移する際に、既に前記使用位置にある他のリフィルに対応する前記ノック棒の前記後端解除カムに当接する前端解除カムと、
を備え、
前記電磁誘導タッチペンの前記ノック棒が摺動する前記ガイドレールは、前記筆記リフィルの前記ノック棒が摺動する前記ガイドレールより短く、
前記電磁誘導タッチペンの前記待機位置においては対応する前記ノック棒の前記前端解除カムの前端位置は前記筆記リフィルに対応するガイドレールの前端位置とほぼ一致し、
前記筆記リフィルの前記待機位置においては対応する前記ノック棒の前記前端解除カムの前端位置は前記電磁誘導タッチペンに対応するガイドレールの前端位置とほぼ一致し、
前記待機位置にある前記電磁誘導タッチペンの先端は、同じく待機位置にある前記筆記リフィルの先端よりも前端寄りに位置していることを特徴とする。
【００１４】
ここで、前記ガイドレールの長さは、対応するリフィルのノックストローク、すなわち、当該リフィルが前記待機位置から前記使用位置まで移動するのに要する距離に相当する。
【００１５】
すなわち、電磁誘導タッチペンが摺動するガイドレールは比較的短いため、比較的短いノックストロークで先端が使用位置に到達することができる。一方、筆記リフィルの全長は比較的短く、かつ、筆記リフィルが摺動するガイドレールは比較的長いため、比較的長いノックストロークで先端が使用位置に到達することになる。よって、電磁誘導タッチペンと筆記リフィルとでは、ノックストロークが異なるため、どのリフィルのノック棒を操作したかを使用者が感覚的に認知することができる。
【００１６】
なお、本態様で言及される「ほぼ一致」とは、位置が厳密に一致することまでを要求するものではなく、多少の位置の誤差はあっても実質的に一致していれば足りるものである。
【００１７】
（３）第３の態様
本発明の第３の態様に係る多機能ペンは、前記第２の態様の特徴に加え、前記ガイドレールは、軸方向に沿った長孔であるガイド孔の両内側において該軸筒の表面に対し軸心方向へ陥凹した段部として形成され、
前記ガイドレールの間には軸方向に沿ったガイド溝が設けられ、
前記ガイド溝には、前記後端解除カム及び前記前端解除カムが軸方向に移動自在に挿通されていることを特徴とする。
【００１８】
また、前記ガイドレールは、前記軸筒の内部に収容される略筒状のガイド筒に設けられていることが望ましい。
【００１９】
（４）第４の態様
本発明の第４の態様に係る多機能ペンは、前記第２又は第３の態様の特徴に加え、前記電磁誘導タッチペンが接続される前記ノック棒の前記ノック突起の形状は、前記筆記リフィルが接続される前記ノック棒の前記ノック突起の形状とは相違していることを特徴とする。
【００２０】
上記構成により、電磁誘導タッチペンと筆記リフィルとではノック突起の形状が相違するため、使用者は、これからノック動作を行おうとするリフィルが電磁誘導タッチペンであるかそうでないかを触感のみで認知することができる。
【００２１】
（５）第５の態様
本発明の第５の態様に係る多機能ペンは、前記第１、第２、第３又は第４の態様の特徴に加え、前記筆記リフィルとして、熱変色芯を備えた熱変色芯リフィルを備えるとともに、
前記軸筒の後端に前記熱変色芯による描線を消去するための摩擦体が設けられていることを特徴とする。
【発明の効果】
【００２２】
上記各態様によれば、リフィルとして電磁誘導タッチペンと筆記リフィルとが軸筒内で共存する多機能ペンにおいて、電磁誘導タッチペンを使用する際、待機位置にある筆記リフィルの金属部分が電磁誘導タッチペンと十分な距離を隔てているため、電磁誘導の妨げとならないようにすることが可能となる。
【図面の簡単な説明】
【００２３】
【図１】本発明の実施の形態に係る多機能ペンにおいて、全てのリフィルが待機位置にある様子を正面図（Ａ）、側面図（Ｂ）及び側面断面図（Ｃ）にて示す。
【図２】図１の多機能ペンに使用される電磁誘導タッチペン用のノック棒を斜視図（Ａ）、正面図（Ｂ）、側面図（Ｃ）及び背面図（Ｄ）にて示す。
【図３】図１の多機能ペンに使用される筆記リフィル用のノック棒を斜視図（Ａ）、正面図（Ｂ）、側面図（Ｃ）及び背面図（Ｄ）にて示す。
【図４】図１の多機能ペンに使用されるガイド筒を斜視図（Ａ）、正面図（Ｂ）、背面図（Ｃ）及び側面断面図（Ｄ）にて示す。
【図５】本発明の実施の形態に係る多機能ペンにおいて、電磁誘導タッチペンが使用位置にある様子を正面図（Ａ）、側面図（Ｂ）及び側面断面図（Ｃ）にて示す。
【図６】本発明の実施の形態に係る多機能ペンにおいて、筆記リフィルが使用位置にある様子を正面図（Ａ）、側面図（Ｂ）及び側面断面図（Ｃ）にて示す。
【発明を実施するための形態】
【００２４】
以下、本発明の実施の形態を図面を参照しつつ説明する。なお、以下の説明における「先端」とは多機能ペン１において筆記先端の位置する方をいい、「後端」とはその反対の方をいう。また、「前端側」とは、前記「先端」の側をいい、「後端側」とは、前記「後端」の側をいう。
【００２５】
（１）外観
図１は、本発明の実施の形態に係る多機能ペン１において、リフィルとしての電磁誘導タッチペン４０を含む複数のリフィルの全てが、軸筒１０の内部に留まっている待機位置にある様子を正面図（Ａ）、側面図（Ｂ）及び側面断面図（Ｃ）にて示すものである。
【００２６】
本実施の形態に係る多機能ペン１は、その外部構造として、その先端と後端とにそれぞれ開口部を有する軸筒１０を備えている。この軸筒１０は、後端側に位置する後軸１４と、前端側に位置する先軸１２とが互いに螺合されて形成される。そして、先軸１２の先端には、収容されるリフィルの先端が出没可能な先端開口１２Ａが形成される（図１（Ｃ）参照）。一方、後軸１４の後端には、後述するガイド筒２０の後端に設けられる摩擦体２０Ａが露出する後端開口１４Ｂが形成される（図１（Ｃ）参照）。
【００２７】
後軸１４の後端側には、軸方向に沿った長孔であるガイド孔１４Ａが合計４本等配されている。各ガイド孔１４Ａからは、筆記リフィル５０、５５の後方に装着される計３本のノック棒３５のノック突起３５Ａ及び電磁誘導タッチペン４０の後方に装着されるノック棒３０のノック突起３０Ａと一体に形成されたクリップ３０Ｉが露出している。これらのノック棒３０、３５は、対応するガイド孔１４Ａに沿って前後に移動可能である。
【００２８】
（２）内部構造
軸筒１０内部には、ボールペンリフィルとしての筆記リフィル５０が２本（ただし、図１（Ｃ）の断面図では１本のみが認められる。）と、熱変色芯リフィルとしての筆記リフィル５５と、電磁誘導タッチペン４０との計４本のリフィルが収納される。電磁誘導タッチペン４０の全長は、他の筆記リフィル５０、５５の全長よりも約７ｍｍ長い。そのため、本実施形態では、軸筒１０内部で待機位置にある状態では、電磁誘導タッチペン４０の先端は、他の筆記リフィル５０、５５の先端よりも約７ｍｍ前端寄りに位置しているが、位置する長さは、約７ｍｍに限定されることなく、電磁誘導タッチペン４０が使用時に機能する範囲で前端よりに位置していればよい。即ち電磁誘導タッチペン４０の筆記先端と他の筆記リフィル５０、５５の筆記先端との距離において、電磁誘導タッチペン４０の使用時の状態の距離の方が他の筆記リフィル５０、５５の使用時の状態の距離より大きいことを示す。
【００２９】
軸筒１０内部の中間よりやや後方には、短円筒形状のリフィル支持筒６０が装着されている。このリフィル支持筒６０には、各リフィルが前後移動自在に挿通される支持孔６２が貫通している。このリフィル支持筒６０は、軸筒１０の中間よりやや後方の内周面から内方に突出した支持突条１６によってその前端が支持されている。
【００３０】
（２−１）電磁誘導タッチペン４０
電磁誘導タッチペン４０は、図１（Ｃ）に示すように、金属製の収納筒４０Ａの先端に、棒状のフェライトコア４０Ｄが挿通された略管状のコアホルダー４０Ｃを内蔵した、たとえばポリプロピレンやポリアセタールを例とした合成樹脂製の先端継手４０Ｂが装着され、その先端に、たとえばポリアセタールのような合成樹脂製の接触先端４０Ｅが装着されている。電磁誘導タッチペン４０の全長は、筆記リフィル５０の全長より長く形成されている。また、フェライトコア４０Ｄの周囲には、先端継手４０Ｂを挟んで電磁誘導コイル４０Ｊが巻き回されている。収納筒４０Ａの中には、電磁誘導コイル４０Ｊと電気的に接続された感圧センサ４０Ｉとコンデンサ４０Ｋとが収納されている。また、収納筒４０Ａの後端には、略円筒状の後端継手４０Ｆを介して、後述のノック棒３０に接続するための接続部４０Ｇが装着されている。接続部４０Ｇの外周にはノックスプリング４０Ｌが外挿されている。このノックスプリング４０Ｌは、前記リフィル支持筒６０の後端縁にその前端が支持されるとともに、後述するノック棒３０のスプリング支持端３０Ｈにその後端が支持されることで、ノック棒３０を軸筒１０に対して後方へ付勢することとなっている。さらに、収納筒４０Ａを前端方向に付勢するリターンスプリング４０Ｈが、後端継手４０Ｆと接続部４０Ｇとの間に介装されている。このリターンスプリング４０Ｈは、先端継手４０Ｂの押圧により収納筒４０Ａが後方へ移動する際に圧縮される。また、このリターンスプリング４０Ｈは、落下衝撃等により破損を防止する効果もある。なお、電磁誘導タッチペン４０はノック棒３０に対し接続部４０Ｇで着脱可能に接続されており、たとえば接触先端４０Ｅが摩耗したり、内蔵する電子部品類が故障したりした際には、容易に新品と交換することが可能となっている。
【００３１】
電磁誘導タッチペン４０のノック棒３０は、図２に示すような外観を呈する。図２は、電磁誘導タッチペン４０用のノック棒３０を斜視図（Ａ）、正面図（Ｂ）、側面図（Ｃ）及び背面図（Ｄ）にて示すものである。ここで、この図２における「正面側」とは、軸筒１０の軸心から外周へ向かう側をいい、同じく「背面側」とは軸筒１０の軸心へ向かう側をいう。この（２−１）の項でのノック棒３０の説明における方向への言及はこれに従う。
【００３２】
ノック棒３０の背面側の面は、後述するガイドレール２６の上を摺動する摺動面３０Ｂとなっている（図２（Ｃ）参照）。一方、ノック棒３０の正面側からは、ノック突起３０Ａが、前記摺動面３０Ｂに対し、軸筒１０の外側方となる方向へ突出し、軸筒１０のガイド孔１４Ａから外方へ貫通している（図１（Ｃ）参照）。このノック突起３０Ａは摺動面３０Ｂの後端よりも後方へも延伸している（図２（Ｂ）及び（Ｃ）参照）。また、摺動面３０Ｂの後端とノック突起３０Ａとの間の段部は、後述するガイドレール２６の前端に係止する後端係止部３０Ｃとなっている。さらに、ノック突起３０Ａが前端方向へ延長した部分がクリップ３０Ｉとなっている。このクリップ３０Ｉを有することで、電磁誘導タッチペン４０が接続されるノック棒３０のノック突起３０Ａの形状は、後述する筆記リフィル５０、５５が接続されるノック棒３５のノック突起３５Ａの形状とは相違することとなっている。
【００３３】
摺動面３０Ｂから背面側へは、軸方向に沿った突出構造が設けられており、これは、後述するガイド溝２８に嵌入する嵌入部３０Ｄである。この嵌入部３０Ｄの後端付近においてはさらに背面側（軸筒１０内においては軸心方向）へ突出構造が設けられており、これが後端解除カム３０Ｅである。また、この嵌入部３０Ｄの前端付近においてはさらに背面側（軸筒１０内においては軸心方向）へ突出構造が設けられており、これが前端解除カム３０Ｆである。すなわち、後端解除カム３０Ｅ及び前端解除カム３０Ｆはガイド溝２８に軸方向に移動自在に挿通されている。
【００３４】
ノック棒３０の先端からは、電磁誘導タッチペン４０が接続される接続突起３０Ｇが突設されている。また、この接続突起３０Ｇよりやや後方には正面側及び背面側双方に段部が形成されており、これが前記したノックスプリング４０Ｌの後端を支持するスプリング支持端３０Ｈである。
【００３５】
（２−２）筆記リフィル５０
ボールペンリフィルとして形成されている筆記リフィル５０は、図１（Ｃ）に示すように、インク収容管５０Ａの先端に継手５０Ｃを介して金属製の筆記先端としてのボールペンチップ５０Ｂが装着された構造を有する。インク収容管５０Ａの後端は、後述のノック棒３５に接続される。また、インク収容管５０Ａの後端付近の外周には、ノック棒３５を後方へ付勢するノックスプリング５０Ｄが外挿されている。このノックスプリング５０Ｄは、前記リフィル支持筒６０の後端縁にその前端が支持されるとともに、後述するノック棒３５のスプリング支持端３５Ｈにその後端が支持されることで、ノック棒３５を軸筒１０に対して後方へ付勢することとなっている。
【００３６】
筆記リフィル５０のノック棒３５は、図３に示すような外観を呈する。図３は、筆記リフィル５０用のノック棒３５を斜視図（Ａ）、正面図（Ｂ）、側面図（Ｃ）及び背面図（Ｄ）にて示すものである。ここで、この図３における「正面側」とは、軸筒１０の軸心から外周へ向かう側をいい、同じく「背面側」とは軸筒１０の軸心へ向かう側をいう。この（２−２）の項でのノック棒３５の説明における方向への言及はこれに従う。
【００３７】
ノック棒３５の背面側の面は、後述するガイドレール２７の上を摺動する摺動面３５Ｂとなっている（図３（Ｃ）参照）。一方、ノック棒３５の正面側からは、ノック突起３５Ａが、前記摺動面３５Ｂに対し、軸筒１０の外側方となる方向へ突出し、軸筒１０のガイド孔１４Ａから外方へ貫通している（図１（Ｃ）参照）。このノック突起３５Ａは摺動面３５Ｂの後端よりも後方へも延伸している（図３（Ｂ）及び（Ｃ）参照）。また、摺動面３５Ｂの後端とノック突起３５Ａとの間の段部は、後述するガイドレール２７の前端に係止する後端係止部３５Ｃとなっている。
【００３８】
摺動面３５Ｂから背面側へは、軸方向に沿った突出構造が設けられており、これは、後述するガイド溝２８に嵌入する嵌入部３５Ｄである。この嵌入部３５Ｄの後端付近においてはさらに背面側（軸筒１０内においては軸心方向）へ突出構造が設けられており、これが後端解除カム３５Ｅである。また、この嵌入部３５Ｄの前端付近においてはさらに背面側（軸筒１０内においては軸心方向）へ突出構造が設けられており、これが前端解除カム３５Ｆである。すなわち、後端解除カム３５Ｅ及び前端解除カム３５Ｆはガイド溝２８に軸方向に移動自在に挿通されている。
【００３９】
ノック棒３５の先端からは、筆記リフィル５０が接続される接続突起３５Ｇが突設されている。また、この接続突起３５Ｇよりやや後方には正面側及び背面側双方に段部が形成されており、これが前記したノックスプリング５０Ｄの後端を支持するスプリング支持端３５Ｈである。
【００４０】
なお、筆記リフィル５０のノック棒３５における後端解除カム３５Ｅの後端から前端解除カム３５Ｆの前端までの距離は、前記電磁誘導タッチペン４０のノック棒３０における後端解除カム３０Ｅの後端から前端解除カム３０Ｆの前端までの距離より短い（図１（Ｃ）、図２及び図３参照）。この構成の意義については後述する。
【００４１】
（２−３）筆記リフィル５５
熱変色芯リフィルとして形成されている筆記リフィル５５は、図１（Ｃ）に示すように、金属製の芯収容管５５Ａに棒状の熱変色芯５５Ｂが収納された構造を有する。また、芯収容管５５Ａの後端には、前記（２−２）の項で言及したノック棒３５に接続するための接続部５５Ｃが装着されている。接続部５５Ｃの外周には、ノック棒３５を後方へ付勢するノックスプリング５５Ｄが外挿されている。このノックスプリング５５Ｄは、前記リフィル支持筒６０の後端縁にその前端が支持されるとともに、前記ノック棒３５のスプリング支持端３５Ｈにその後端が支持されることで、ノック棒３５を軸筒１０に対して後方へ付勢することとなっている。なお、筆記リフィル５５が接続されるノック棒３５については、前記（２−２）の項で詳述した筆記リフィル５０のノック棒３５と同様の構成である。
【００４２】
本実施の形態において、熱変色芯リフィルとしての筆記リフィル５５に装着される熱変色芯５５Ｂは、少なくとも樹脂成分、ワックス成分、熱変色色材及び白色の体質材を含有し、前記樹脂成分として、ロジン及びロジン変成物のうち少なくとも一方を０．５重量％以上２０重量％以下の範囲で含有し、前記ワックス成分として、融点４５℃以上のグリセリン脂肪酸エステル及びペンタエリスリトール脂肪酸エステルのうちの少なくとも一方を８重量％以上５０重量％以下の範囲で含むことで、熱変色性を備える。
【００４３】
本実施の形態の熱変色芯５５Ｂにおいて、「樹脂成分」として用いられるロジン及びロジン変成物は、一般的にロジン及びロジン変成物として分類されているものであれば、特に限定されず、いずれも使用できる。また、ロジンの主成分であるアビチエン酸を使用することも可能である。なお、ここで「ロジン変成物」とは、ロジンのグリセリンエステル等をいう。
【００４４】
これらは、化成品、天然物を区別することなく、単独、又は２種以上混合して用いることも可能であり、目的とする熱変色芯５５Ｂの着色性、硬さによって適宜選択される。
【００４５】
この樹脂成分の含有率は０．５重量％以上２０重量％以下の範囲にあることとなっている。この含有率が０．５重量％を下回ると、平滑面での定着性が劣り着色が不十分であり、また強度的に弱く、実用的でない。一方、２０重量％を上回ると硬く、やはり平滑面での定着性が劣り着色が不十分となる。
【００４６】
本実施の形態の熱変色芯５５Ｂにおいて、「ワックス成分」として用いられるグリセリン脂肪酸エステルとしては、融点４５℃以上で一般的にグリセリン脂肪酸エステルとして分類されているものであれば、特に限定されず、いずれも使用できる。たとえば、融点４５℃以上のパルミチン酸グリセリド、ステアリン酸グリセリド等、また、モノグリセリド、ジグリセリド、トリグリセリドのいずれも用いることができる。さらに、これら以外のものとしては、グリセリン脂肪酸エステルを主成分とするハゼロウ、ウルシロウ等のモクロウ類、ヤマハゼロウ、ヤマウルシロウ等のスマックワックス類等の天然物のいずれをも用いることができる。
【００４７】
本実施の形態の熱変色芯５５Ｂにおいて、「ワックス成分」として用いられるペンタエリスリトール脂肪酸エステルとしては、融点４５℃以上で一般的にペンタエリスリトール脂肪酸エステルとして分類されているものであれば、特に限定されず、いずれも使用できる。たとえば、融点４５℃以上のパルミチン酸ペンタエリスリット、ステアリン酸ペンタエリスリット等、また、モノペンタエリスリット、ジペンタエリスリット、トリペンタエリスリット、テトラペンタエリスリットのいずれも用いることができる。なお、融点が４５℃を下回ると、実用上の強度が弱すぎ、熱変色芯５５Ｂを細く成形すると折れやすくなる。
【００４８】
これら本実施の形態の熱変色芯５５Ｂに用いるグリセリン脂肪酸エステル及びペンタエリスリトール脂肪酸エステルは、化成品、天然物を区別することなく、単独、又は２種以上混合して用いることも可能であり、目的とする熱変色芯５５Ｂの着色性、硬さによって適宜選択される。
【００４９】
上記ワックス成分の含有率は８重量％以上５０重量％以下の範囲にあることとなっている。この含有率が８重量％を下回ると熱変色芯５５Ｂは硬く、平滑面での定着性が劣り着色が不十分となる。一方、５０重量％を上回ると熱変色芯５５Ｂは強度的に弱くなり、実用的でない。
【００５０】
本実施の形態の熱変色芯５５Ｂに用いる「熱変色色材」とは、たとえば、少なくともロイコ染料、顕色剤、変色温度調整剤から構成される熱変色性組成物であって、これらの材料を封入してマイクロカプセル顔料としたものも含まれる。マイクロカプセル顔料は、その壁材を強固にする点から、マイクロカプセル粒子の壁材が、架橋を可能とするモノマー、ポリマーあるいは架橋材を含む重合物などから形成される高分子樹脂の壁材から形成され、この熱変色組成物を内包させることが望ましい。
【００５１】
本実施の形態の熱変色芯５５Ｂに用いるロイコ染料としては、電子供与性染料で、発色剤として機能するものであれば、特に限定されるものではない。具体的には、優れた発色特性を得る点から、たとえば、３，３−ビス（ｐ−ジメチルアミノフェニル）−６−ジメチルアミノフタリド、３−（４−ジエチルアミノフェニル）−３−（１−エチル−２−メチルインドール−３−イル）フタリド、３−（４−ジエチルアミノ−２−エトキシフェニル）−３−（１−エチル−２−メチルインドール−３−イル）−４−アザフタリド、１，３−ジメチル−６−ジエチルアミノフルオラン、２−クロロ−３−メチル−６−ジメチルアミノフルオラン、３−ジブチルアミノ−６−メチル−７−アニリノフルオラン、３−ジエチルアミノ−６−メチル−７−アニリノフルオラン、３−ジエチルアミノ−６−メチル−７−キシリジノフルオラン、２−（２−クロロアニリノ）−６−ジブチルアミノフルオラン、３，６−ジメトキシフルオラン、３，６−ジ−ｎ−ブトキシフルオラン、１，２−ベンツ−６−ジエチルアミノフルオラン、１，２−ベンツ−６−ジブチルアミノフルオラン、１，２−ベンツ−６−エチルイソアミルアミノフルオラン、２−メチル−６−（Ｎ−ｐ−トリル−Ｎ−エチルアミノ）フルオラン、２−（Ｎ−フェニル−Ｎ-−メチルアミノ）−６−（Ｎ−ｐ−トリル−Ｎ−エチルアミノ）フルオラン、２−（３’−トリフルオロメチルアニリノ）−６−ジエチルアミノフルオラン、３−クロロ−６−シクロヘキシルアミノフルオラン、２−メチル−６−シクロヘキシルアミノフルオラン、３−メトキシ−４−ドデコキシスチリノキノリンなどが挙げられ、これらは、単独（１種）で又は２種以上を混合して（以下、単に「少なくとも１種」という）用いることができる。
【００５２】
さらに、黄色ないし赤色の発色を発現させるピリジン系化合物、キナゾリン系化合物、ビスキナゾリン系化合物等も用いることができる。
【００５３】
これらのロイコ染料は、ラクトン骨格、ピリジン骨格、キナゾリン骨格、ビスキナゾリン骨格等を有するものであり、これらの骨格（環）が開環することで発色を発現するものである。
【００５４】
本実施の形態の熱変色芯５５Ｂに用いる顕色剤は、ロイコ染料を発色させるものである。結晶状態の粒子から構成され、この結晶状態でインク中に含有されるものである。
【００５５】
具体的に用いることができる顕色剤としては、発色特性に優れるインクを得る点から、たとえば、ｏ−クレゾール、ｔｅｒｔ−ブチルカテコール、ノニルフェノール、ｎ−オクチルフェノール、ｎ−ドデシルフェノール、ｎ−ステアリルフェノール、ｐ−クロロフェノール、ｐ−ブロモフェノール、ｏ−フェニルフェノール、ヘキサフルオロビスフェノール、ｐ−ヒドロキシ安息香酸ｎ−ブチル、ｐ−ヒドロキシ安息香酸ｎ−オクチル、レゾルシン、没食子酸ドデシル、２，２−ビス（４’−ヒドロキシフェニル）プロパン、４，４−ジヒドロキシジフェニルスルホン、１，１−ビス（４’−ヒドロキシフェニル）エタン、２，２−ビス（４’−ヒドロキシ−３−メチルフェニル）プロパン、ビス（４−ヒドロキシフェニル）スルフィド、１−フェニル−１，１−ビス（４’−ヒドロキシフェニル）エタン、１，１−ビス（４’−ヒドロキシフェニル）−３−メチルブタン、１，１−ビス（４’−ヒドロキシフェニル）−２−メチルプロパン、１，１−ビス（４’−ヒドロキシフェニル）ｎ−ヘキサン、１，１−ビス（４’−ヒドロキシフェニル）ｎ−ヘプタン、１，１−ビス（４’−ヒドロキシフェニル）ｎ−オクタン、１，１−ビス（４’−ヒドロキシフェニル）ｎ−ノナン、１，１−ビス（４’−ヒドロキシフェニル）ｎ−デカン、１，１−ビス（４’−ヒドロキシフェニル）ｎ−ドデカン、２，２−ビス（４’−ヒドロキシフェニル）ブタン、２，２−ビス（４’−ヒドロキシフェニル）エチルプロピオネート、２，２−ビス（４’−ヒドロキシフェニル）−４−メチルペンタン、２，２−ビス（４’−ヒドロキシフェニル）ヘキサフルオロプロパン、２，２−ビス（４’−ヒドロキシフェニル）ｎ−ヘプタン、２，２−ビス（４’−ヒドロキシフェニル）ｎ−ノナンなどが挙げられ、これらは、少なくとも１種用いることができる。
【００５６】
本実施の形態の熱変色芯５５Ｂに用いる変色温度調整剤は、加熱溶融した状態でロイコ染料と顕色剤の結合を遮断して消色状態をなし、再度変色温度調整剤を融点以下に冷却することで変色温度調整剤が結晶化し、発色状態になることを繰り返し、その変化は可逆的に変色温度調整剤の融点を境にして呈するものである。また、加熱溶融した状態でロイコ染料と顕色剤の結合を遮断して消色状態をなし、再度変色温度調整剤の融点に冷却しても、その融点では変色温度調整剤が結晶化せず、消色状態を維持するものを用いることができる。後者の変色温度調整剤は、融点よりさらに数度から数十度温度を下げることで結晶化し、発色状態をなすヒステリシス特性を有する準可逆的な変化を呈するものであり、さらに再度加熱、冷却することでこの変化は繰り返し消発色を呈するものである。
【００５７】
本実施の形態の熱変色芯５５Ｂに用いることができる変色温度調整剤は、上記機能を有するものであれば、特に限定されず、たとえば、水酸基、エステル結合、エーテル結合、アミド結合などの極性基を、少なくとも１つ有する化合物、具体的には、デカン酸、ドデカン酸、テトラデカン酸、ペンタデカン酸、ヘキサデカン酸、ヘプタデカン酸、オクタデカン酸、ノナデカン酸、イコサン酸、ドコサン酸、テトラドコサン酸、ヘキサドコサン酸、オクタドコサン酸などの飽和脂肪酸、カプリルアルコール、ラウリルアルコール、ミリスチルアルコール、セチルアルコール、ステアリルアルコール、ベヘニルアルコール、イソステアリルアルコール、パルミトレイルアルコール、などの高級アルコール、上記脂肪酸とアミンのアミド類、上記脂肪酸とアルコールのエステル類、上記高級アルコールと、グリセリン、プロピレングリコール、エチレングリコールとのエーテル類などが挙げられ、また、ジフェニルプロパンジオン、ジベンジオキシベンゼン、ジフェノキシベンゼン、ジイソプロピルナフタレン、ベンジルビフェニル、ベンジルナフチルエーテル、ジベンジルスルホキシド、ジメチルテレフタレート、ジフェニルカルボネート、ジフェニルスルホン、フルオランテン、フルオレン、メチルヒドロキシナフタレート、フェニルヒドロキシナフタレート、ステラニリド、などの芳香族化合物などが挙げられ、これらは、少なくとも１種用いることができる。
【００５８】
マイクロカプセル顔料は、平均粒子径が０．１〜２０μｍであって、壁膜はエポキシ樹脂、ポリアミド樹脂、アクリロニトリル樹脂、ポリウレタン樹脂、ポリウレア樹脂、尿素−ホルムアルデヒド系樹脂、メラミン−ホルムアルデヒド系樹脂、ベンゾグアナミン樹脂、ブチル化メラミン樹脂、ブチル化尿素樹脂、尿素−メラミン系樹脂等のアミノ樹脂の他、アクリル樹脂、マレイン酸樹脂、シリコーン樹脂、ポリ塩化ビニル、ポリ塩化ビニリデン、ポリ酢酸ビニル、ポリスチレンなどで形成されたものであり、この熱変色組成物を内包させたものである。これらの樹脂の他、ゼラチン、デンプン、アラビアガム、ポリアクリル酸ナトリウム、ヒドロキシエチルセルロース、メチルセルロース、ポリアクリル酸エステル、エチルセルロース、酢酸セルロースなどで形成されてもよいものである。
【００５９】
本実施の形態の熱変色芯５５Ｂの「熱変色色材」をマイクロカプセル顔料とする場合には、少なくとも上記ロイコ染料、顕色剤、変色温度調整剤からなる熱変色性組成物を平均粒子径が０．１〜２０μｍとなるように、マイクロカプセル化することにより製造することができる。
【００６０】
マイクロカプセル化法としては、たとえば、界面重合法、界面重縮合法、ｉｎ  ｓｉｔｕ重合法、液中硬化被覆法、水溶液からの相分離法、有機溶媒からの相分離法、融解分散冷却法、気中懸濁被覆法、スプレードライニング法などを挙げることができ、用途に応じて適宜選択することができる。
【００６１】
たとえば、水溶液からの相分離法では、ロイコ染料、顕色剤、変色温度調整剤を加熱溶融後、乳化剤溶液に投入し、加熱撹拌して油滴状に分散させ、次いで、カプセル膜剤として、たとえば、壁膜がアミノ樹脂で形成できる樹脂原料などを使用、アミノ樹脂溶液、具体的には、メチロールメラミン水溶液、尿素溶液、ベンゾグアナミン溶液などの各液を徐々に投入し、引き続き反応させて調製後、この分散液を濾過することにより目的の熱変色性のマイクロカプセル顔料を製造することができる。
【００６２】
これらのロイコ染料、顕色剤、変色温度調整剤の含有量は、用いるロイコ染料、顕色剤、変色温度調整剤の種類、マイクロカプセル化法などにより変動するが、ロイコ染料１に対して、質量比で顕色剤０．１〜１００、変色温度調整剤１〜１００である。また、カプセル膜剤は、カプセル内容物に対して、質量比で０．１〜１である。
【００６３】
本実施の形態の熱変色芯５５Ｂのマイクロカプセル顔料では、上記ロイコ染料、顕色剤及び変色温度調整剤の種類、量などを好適に組み合わせることにより、各顔料の色、任意の発色温度、消色温度とすることができる。
【００６４】
本実施の形態の熱変色芯５５Ｂの「熱変色色材」をマイクロカプセル顔料とする場合には、壁膜が樹脂で形成されることが好ましく、さらに好ましくは、製造性、保存安定性、筆記性の点から、メラミン樹脂を含むアミノ樹脂等の熱硬化樹脂で形成されることが望ましい。マイクロカプセル顔料の壁膜の厚さは、必要とする壁膜の強度や描線濃度に応じて適宜決められる。
【００６５】
「熱変色色材」がマイクロカプセル顔料である場合の平均粒子径は、着色性、発色性、易消色性、安定性の点、及び、筆記性への悪影響を抑制する点から、０．１〜２０μｍ、さらに好ましくは、０．２〜５．０μｍであるものが望ましい。なお、本実施の形態の熱変色芯５５Ｂで言及する「平均粒子径」は、レーザー回折・散乱式粒子径粒度分布測定装置（レーザー回折散乱式粒度分布計ＭＴ３０００（日機装株式会社製））にて、平均粒子径（体積基準分布による算術平均径）を測定した値である。
【００６６】
この平均粒子径が０．１μｍ未満であると、十分な描線濃度が得られず、一方、２０μｍを越えると、筆記性の劣化、マイクロカプセル顔料の分散安定性の低下、摩擦による筆記面からの脱離が発生し、好ましくない。
【００６７】
なお、上記範囲（０．１〜２０μｍ）となる平均粒子径のマイクロカプセル顔料は、マイクロカプセル化法により変動するが、水溶液からの相分離法などでは、マイクロカプセル顔料を製造する際の攪拌条件を好適に組み合わせることにより調製することができる。
【００６８】
本実施の形態の熱変色芯５５Ｂにおいて、「熱変色色材」の含有量は、インク組成物全量に対して、好ましくは、５〜３０重量％、さらに好ましくは、１０〜２５重量％である。
【００６９】
この熱変色色材（顕色粒子）の含有量が５重量％未満であると、着色力、発色性が不十分となり、一方、３０重量％を超えると、カスレが生じやすくなり、好ましくない。
【００７０】
本実施の形態の熱変色芯５５Ｂにおける「熱変色色材」の他、色材として通常の顔料を含むことができる。その顔料としては、ジスアゾイエローＡＡＡ、ピラゾロンオレンジ等のアゾ系有機顔料、フタロシアニンブルー、フタロシアニングリーン等のシアニン系有機顔料、キナクリドンレッド等の高級有機顔料、ファナルカラー等染付け顔料、蛍光顔料、カーボンブラック、鉄黒、弁柄、紺青等の無機顔料等をすべて用いることができる。
【００７１】
本実施の形態の熱変色芯５５Ｂにおける「白色の体質材」としては、二酸化チタン、炭酸カルシウム、カオリン、タルク、沈降性硫酸バリウム、マイカ、窒化ホウ素、チタン酸カリウムウィスカー、塩基性硫酸マグネシウムウィスカーのウィスカー類等公知の体質材であって、白色を呈するものをすべて用いることができる。
【００７２】
ここで、「二酸化チタン」としてはルチル、アタナーゼを問わず従来公知の二酸化チタンをすべて用いることができる。しかし、透明プラスチック、ガラス等透明な板面に濃く明確に描画することを目的とするには、触媒用二酸化チタンは粒子径が細かく、薄い描画面となり、好ましくないが、下記の通り、下地を透かして見るアンダーラインマーカーとする場合には逆に好都合である。
【００７３】
また、たとえば、二酸化チタンを添加せずに、これらの白色の体質材のみを添加して変色性の熱変色芯５５Ｂを組成すると、半透明の描線が引けて下地が透けて見えるアンダーラインマーカーとして利用できるほか、この描線の上から半透明のシートをさらに被せてコピーをとると、複写物においては描線を引いた箇所が消去されて、即席の穴埋め問題集となる。
【００７４】
この筆記リフィル５５が先端開口１２Ａから突出している状態（図示せず）では、多機能ペン１は、先端から突出する熱変色芯５５Ｂにより、熱変色性を有する描線を筆記可能となる。
【００７５】
（３）ガイド筒２０
本実施の形態に係る多機能ペン１の軸筒１０内部の後端付近には、前記ノック棒３０、３５がノック動作に伴い軸方向に沿って摺動するガイドレール２６、２７を備えたガイド筒２０が収容されている。ガイド筒２０は、図４に示すよう略筒状の外観を呈する。図４は、ガイド筒２０を斜視図（Ａ）、正面図（Ｂ）、背面図（Ｃ）及び側面断面図（Ｄ）にて示すものである。
【００７６】
ガイド筒２０は、後端に中空ドーム状の摩擦体２０Ａが装着された、略円筒状の部材である。ガイド筒２０の前端に位置する環状部２２には開口が形成され、これが前記ノック棒３０、３５が挿通する挿通孔２２Ａである。また、ガイド筒２０の側面には軸方向に沿った長孔である側面開口２４が４本等配されている。この側面開口２４のそれぞれにおいて、表面から陥凹した段部として、軸心方向にそった１対のガイドレール２６、２７が形成されている。これらガイドレール２６、２７は、前記軸筒１０のガイド孔１４Ａの両内側において、該軸筒１０の表面に対し軸心方向への段部となっている。総計４対あるガイドレール２６、２７のうち、他より軸方向長の短い１対は電磁誘導タッチペン４０のノック棒３０がその上で摺動するものであり、その他の比較的軸方向長の長い３対は筆記リフィル５０、５５のノック棒３５がその上で摺動するものである。軸方向長が比較的短い１対のガイドレール２６の前端は、電磁誘導タッチペン４０のノック棒３０の前記後端係止部３０Ｃが係止する係止端２６Ａとなっている。一方、軸方向長が比較的長い３対のガイドレール２７の前端は、筆記リフィル５０、５５のノック棒３５の前記後端係止部３５Ｃが係止する係止端２７Ａとなっている。また、各ガイドレール２６、２７の間には軸方向に沿ったガイド溝２８が形成され、ここに、前述の通り、電磁誘導タッチペン４０のノック棒３０の後端解除カム３０Ｅ及び前端解除カム３０Ｆ、並びに、筆記リフィル５０、５５のノック棒３５の後端解除カム３５Ｅ及び前端解除カム３５Ｆが、軸方向に移動自在に挿通される。
【００７７】
ここで、電磁誘導タッチペン４０のノック棒３０がノック動作に伴い軸方向に沿って摺動するガイドレール２６の長さ（すなわち、電磁誘導タッチペン４０のノックストローク）は、筆記リフィル５０のノック棒３５における後端解除カム３５Ｅの後端から前端解除カム３５Ｆの前端までの距離にほぼ等しい（図５参照）。一方、筆記リフィル５０、５５のノック棒３５がノック動作に伴い軸方向に沿って摺動するガイドレール２７の長さ（すなわち、筆記リフィル５０、５５のノックストローク）は、前記電磁誘導タッチペン４０のノック棒３０における後端解除カム３０Ｅの後端から前端解除カム３０Ｆの前端までの距離にほぼ等しい（図６参照）。
【００７８】
なお、ガイドレール２６、２７は、上記ガイド筒２０のような軸筒１０とは別体の部材に設けなくとも、軸筒１０に直接、たとえば表面から陥凹した段部として形成されていてもよい。
【００７９】
摩擦体２０Ａの形状は、図４に示すように、中空ドーム状である。この摩擦体２０Ａは、前記した熱変色芯リフィルとしての筆記リフィル５５の熱変色芯５５Ｂによる描線を摩擦により消去するためのものである。
【００８０】
本実施の形態において、摩擦体２０Ａとしては、シリコーン樹脂、スチレンを含む樹脂、フッ素系樹脂、クロロプレン樹脂、ニトリル樹脂、ポリエステル系樹脂、エチレンプロピレンジエンゴム（ＥＰＤＭ）等の軟質樹脂（ゴム、エラストマー）や、ポリアセタール樹脂、ポリエチレン樹脂、ポリプロピレン樹脂、ＡＢＳ樹脂、ポリカーボネイト樹脂、ポリエステル樹脂等の硬質樹脂を用いることができる。特に、上記の硬質樹脂のうち、ＪＩＳ  Ｋ  ６２５３におけるデュロメータタイプＡの硬度が６０以上の樹脂が好ましい。この硬度が６０未満であると軟らかすぎるため筆跡を摩擦して変色させる際の摩擦熱の発生が難しくなる。好ましくは６５以上１００以下、より好ましくは７０以上９０以下とすれば、問題なく摩擦熱によって筆跡を変色させることができる。
【００８１】
（４）動作
（４−１）待機位置
図１（Ｃ）に示すように、電磁誘導タッチペン４０の全長は、筆記リフィル５０、５５全長よりも約７ｍｍ長い。また、電磁誘導タッチペン４０のノック棒３０の軸方向長は、筆記リフィル５０、５５のノック棒３５の軸方向長とほぼ同一である。よって、全てのリフィルが待機位置にある状態では、前述の通り、電磁誘導タッチペン４０の先端は、筆記リフィル５０、５５の先端よりも、前記した全長の差に相当する、約７ｍｍ前端寄りに位置している。一方、電磁誘導タッチペン４０のノック棒３０の前端解除カム３０Ｆの前端は、筆記リフィル５０、５５のノック棒３５の前端解除カム３５Ｆの前端よりも前端寄りに位置している。
【００８２】
（４−２）電磁誘導タッチペン４０のノック動作
図１（Ｃ）に示す待機位置から、電磁誘導タッチペン４０のノック突起３０Ａ（すなわち、クリップ３０Ｉ）を前方へ移動させるノック動作を行うと（図５（Ａ）及び（Ｂ）参照）、ノック棒３０の摺動面３０Ｂが対応するガイドレール２６の上を摺動し、ノックスプリング４０Ｌを圧縮しつつ、電磁誘導タッチペン４０は前方へ移動する。そして、摺動面３０Ｂがガイドレール２６の前端まで移動し終えると、電磁誘導タッチペン４０はそのノックストロークに相当する距離を移動し終えたことになる。そして、図５（Ｃ）に示すように、ノック棒３０は軸心方向へ押し込まれた状態となり、後端係止部３０Ｃがガイドレール２６の係止端２６Ａに係止する。この状態で、電磁誘導タッチペン４０の先端が先端開口１２Ａから突出し、使用位置へと遷移した状態となる。この状態で、使用位置にある電磁誘導タッチペン４０の先端と、待機位置にある筆記リフィル５０、５５の先端とは、電磁誘導タッチペン４０による電磁誘導に影響のない距離、具体的には１５ｍｍ以上隔たっているため、筆記リフィル５０、５５の先端に用いられている金属製の部分が、電磁誘導タッチペン４０による電磁誘導に影響を与えて入力を妨げることはない。
【００８３】
ここで、待機位置にある筆記リフィル５０、５５のノック棒３５の前端解除カム３５Ｆの前端位置はガイドレール２６の前端位置とほぼ一致した位置にある。また、既に使用位置にある電磁誘導タッチペン４０のノック棒３０の後端解除カム３０Ｅは、このガイドレール２６の前端の直前で軸心寄りとなった位置を取っている。この状態で、筆記リフィル５０、５５のノック棒３５のノック突起３５Ａに対しノック動作を行うと、筆記リフィル５０、５５のノック棒３５の前端解除カム３５Ｆが前方へ移動し、その直前に位置している電磁誘導タッチペン４０のノック棒３０の後端解除カム３０Ｅと当接しこれを押圧する。すると、後端係止部３０Ｃの係止端２６Ａとの係止が解除され、電磁誘導タッチペン４０のノック棒３０は、圧縮されていたノックスプリング４０Ｌの復帰により後方へ押し戻され、再び電磁誘導タッチペン４０は図１（Ｃ）に示す待機状態へと復帰する。
【００８４】
（４−３）筆記リフィル５０のノック動作
図１（Ｃ）に示す待機位置から、筆記リフィル５０のノック突起３５Ａを前方へ移動させるノック動作を行うと（図６（Ｂ）参照）、ノック棒３５の摺動面３５Ｂが対応するガイドレール２７の上を摺動し、ノックスプリング５０Ｄを圧縮しつつ、筆記リフィル５０は前方へ移動する。そして、摺動面３５Ｂがガイドレール２７の前端まで移動し終えると、筆記リフィル５０はそのノックストロークに相当する距離を移動し終えたことになる。そして、図６（Ｃ）に示すように、ノック棒３５は軸心方向へ押し込まれた状態となり、後端係止部３５Ｃがガイドレール２７の係止端２７Ａに係止する。この状態で、筆記リフィル５０の先端が先端開口１２Ａから突出し、使用位置へと遷移した状態となる。
【００８５】
ここで、待機位置にある電磁誘導タッチペン４０のノック棒３０の前端解除カム３０Ｆの前端位置はガイドレール２７の前端位置とほぼ一致した位置にある。また、既に使用位置にある筆記リフィル５０のノック棒３５の後端解除カム３５Ｅは、このガイドレール２７の前端の直前で軸心寄りとなった位置を取っている。この状態で、電磁誘導タッチペン４０のノック棒３０のノック突起３０Ａ（すなわち、クリップ３０Ｉ）に対しノック動作を行うと、電磁誘導タッチペン４０のノック棒３０の前端解除カム３０Ｆが前方へ移動し、その直前に位置している筆記リフィル５０のノック棒３５の後端解除カム３５Ｅと当接しこれを押圧する。すると、後端係止部３５Ｃの係止端２７Ａとの係止が解除され、筆記リフィル５０のノック棒３５は、圧縮されていたノックスプリング５０Ｄの復帰により後方へ押し戻され、再び筆記リフィル５０は図１（Ｃ）に示す待機状態へと復帰する。
【００８６】
なお、筆記リフィル５５のノック動作についても、上記した筆記リフィル５０の場合と同様である。
【産業上の利用可能性】
【００８７】
本発明は、多機能ペンとして利用可能である。
【符号の説明】
【００８８】
１  多機能ペン
１０  軸筒
１２  先軸                                １２Ａ  先端開口
１４  後軸                                １４Ａ  ガイド孔
１４Ｂ  後端開口
１６  支持突条
２０  ガイド筒                            ２０Ａ  摩擦体
２２  環状部                              ２２Ａ  挿通孔
２４  側面開口
２６  ガイドレール（電磁誘導タッチペン）  ２６Ａ  係止端
２７  ガイドレール（筆記リフィル）        ２７Ａ  係止端
２８  ガイド溝
３０  ノック棒（電磁誘導タッチペン）      ３０Ａ  ノック突起
３０Ｂ  摺動面                            ３０Ｃ  後端係止部
３０Ｄ  嵌入部                            ３０Ｅ  後端解除カム
３０Ｆ  前端解除カム                      ３０Ｇ  接続突起
３０Ｈ  スプリング支持端                  ３０Ｉ  クリップ
３５  ノック棒（筆記リフィル）            ３５Ａ  ノック突起
３５Ｂ  摺動面                            ３５Ｃ  後端係止部
３５Ｄ  嵌入部                            ３５Ｅ  後端解除カム
３５Ｆ  前端解除カム                      ３５Ｇ  接続突起
３５Ｈ  スプリング支持端
４０  電磁誘導タッチペン                  ４０Ａ  収納筒
４０Ｂ  先端継手                          ４０Ｃ  コアホルダー
４０Ｄ  フェライトコア                    ４０Ｅ  接触先端
４０Ｆ  後端継手                          ４０Ｇ  接続部
４０Ｈ  リターンスプリング                ４０Ｉ  感圧センサ
４０Ｊ  電磁誘導コイル                    ４０Ｋ  コンデンサ
４０Ｌ  ノックスプリング
５０  筆記リフィル（ボールペンリフィル）  ５０Ａ  インク収容管
５０Ｂ  ボールペンチップ                  ５０Ｃ  継手
５０Ｄ  ノックスプリング
５５  筆記リフィル（熱変色芯リフィル）    ５５Ａ  芯収容管
５５Ｂ  熱変色芯                          ５５Ｃ  接続部
５５Ｄ  ノックスプリング
６０  リフィル支持筒                      ６２  支持孔
【図１】
2019101488.tif 000003
【図２】
2019101488.tif 000004
【図３】
2019101488.tif 000005
【図４】
2019101488.tif 000006
【図５】
2019101488.tif 000007
【図６】
2019101488.tif 000008